(57)【要約】【課題】ペット用キャリーの寸法設定の自由度を高めることができるペット用キャリー付きカートを提供すること。【解決手段】このペット用キャリー付きカートのカート本体20は、キャリー70Aの上縁枠体75Aが載置されるキャリー支持体50を有する。キャリー70Aの前後寸法は、キャリー支持体50の前後寸法よりも小さく、これにより、キャリー70Aとキャリー支持体50との間に前後方向間隙Gが形成されている。前後方向間隙Gにポケット部材101が配置されている。【選択図】図１
2015107068.tif 000002
【特許請求の範囲】
【請求項１】
ペットを乗せて搬送するための、ペット用キャリー付きカートにおいて、
前記ペットを収容するためのキャリーと、
前記キャリーが着脱自在に装着される折り畳み可能なカート本体と、を備え、
前記キャリーは、
上面開口を有するペット収容体と、
前記ペット収容体の上縁部に装着された上縁枠体と、を有し、
前記カート本体は、前記上縁枠体が載置されるキャリー支持体を有し、
前記キャリーの前後寸法は、前記キャリー支持体の前後寸法よりも小さく、これにより、前記キャリーと前記キャリー支持体との間に前後方向間隙が形成されており、
前記ペット用キャリー付きカートは、さらに、前記前後方向間隙に配置されたポケット部材を有する、ペット用キャリー付きカート。
【請求項２】
前記ポケット部材の上縁部が前記キャリー支持体に装着されている、請求項１記載のペット用キャリー付きカート。
【請求項３】
前記キャリー支持体に対する前記キャリーの前後方向の移動を規制するための前後移動規制手段をさらに有する、請求項１または２に記載のペット用キャリー付きカート。
【請求項４】
前記前後移動規制手段は、前記キャリーを前記キャリー支持体の前端側に寄せた状態で前記キャリーの前後方向の移動を規制する、請求項３記載のペット用キャリー付きカート。
【請求項５】
前記キャリーは、前記ペット収容体の前記上面開口を平坦状態で開放可能に封止するための蓋部材をさらに有する、請求項１乃至４のいずれか一項に記載のペット用キャリー付きカート。
【請求項６】
前記蓋部材は、可撓性シート材料で形成されており、
前記キャリーは、前記蓋部材を収納するための収納袋をさらに有する、請求項５記載のペット用キャリー付きカート。
【請求項７】
前記キャリー支持体は、前支持部、後支持部、および左右一対の側支持部を有し、
前記後支持部は、前記左右一対の側支持部のそれぞれの後端部から左右方向内側に延在する左右一対の後支持片を有し、
前記ポケット部材は、可撓性シート材料で形成されており、
前記ポケット部材の上縁部に形成された筒状部に前記左右一対の後支持片が挿入されている、請求項１乃至６のいずれか一項に記載のペット用キャリー付きカート。
【請求項８】
前記キャリーは、前記ペット収容体の前記上面開口の上方を覆うために前記ペット収容体に着脱自在に装着される幌部材をさらに有する、請求項１乃至７のいずれか一項に記載のペット用キャリー付きカート。
【請求項９】
前記カート本体は、前後方向に折り畳み可能であると共に左右方向にも折り畳み可能であるように構成されている、請求項１乃至８のいずれか一項に記載のペット用キャリー付きカート。
【発明の詳細な説明】
【技術分野】
【０００１】
本発明は、犬や猫などのペットを乗せて搬送するための、ペット用キャリー付きカートに関する。
【背景技術】
【０００２】
従来、ペットを収容して運ぶためのペット用キャリーが広く知られている。このようなペット用キャリーは、例えば、犬や猫などのペットとともに公共スペースを移動するために用いられる。
【０００３】
また、ペット用キャリーを支持して搬送するペット用カートも知られている。このようなペット用カートを用いれば、ユーザーはペットの重さの負担を強いられることなく、ペットと共に楽に移動することができる。
【０００４】
特許文献１には、ペット用キャリーを着脱自在に装着できる折り畳み可能なペット用キャリー付きカートが記載されている。
【先行技術文献】
【特許文献】
【０００５】
【特許文献１】特開２０１３−１２３４１３号公報
【発明の概要】
【発明が解決しようとする課題】
【０００６】
ところで、特許文献１に記載のペット用キャリー付きカートにおいては、キャリーを支持するためのキャリー支持体の前後左右の寸法にあわせてキャリーの寸法が設定されていたので、より小さなキャリーに対応することが困難であった。
【０００７】
例えば、ペットの大きさに応じてキャリーの寸法を変更したり、電車などの公共機関の規定に適合する小さな寸法のキャリーを装着することは、特許文献１に記載のペット用キャリー付きカートにおいては想定されていなかった。
【０００８】
また、特許文献１に記載のペット用キャリー付きカートにおいては、ペットのオモチャやお菓子などの小物などを収容するためのかごが、カート本体の下方に設けられている。このため、かごに小物などを入れるために、或いはかごから小物などを取り出すためには、ユーザーは一旦屈まなければならず、不便であった。
【０００９】
そこで、本発明の目的は、ペット用キャリーの寸法設定の自由度を高めることができるペット用キャリー付きカートを提供することにある。
【００１０】
また、本発明の他の目的は、ユーザーが使用しやすい、小物などの収容機能を備えたペット用キャリー付きカートを提供することにある。
【課題を解決するための手段】
【００１１】
上記課題を解決するために、本発明は、ペットを乗せて搬送するための、ペット用キャリー付きカートにおいて、前記ペットを収容するためのキャリーと、前記キャリーが着脱自在に装着される折り畳み可能なカート本体と、を備え、前記キャリーは、上面開口を有するペット収容体と、前記ペット収容体の上縁部に装着された上縁枠体と、を有し、前記カート本体は、前記上縁枠体が載置されるキャリー支持体を有し、前記キャリーの前後寸法は、前記キャリー支持体の前後寸法よりも小さく、これにより、前記キャリーと前記キャリー支持体との間に前後方向間隙が形成されており、前記ペット用キャリー付きカートは、さらに、前記前後方向間隙に配置されたポケット部材を有する、ことを特徴とする。
【００１２】
また、好ましくは、前記ポケット部材の上縁部が前記キャリー支持体に装着されている。
【００１３】
また、好ましくは、前記キャリー支持体に対する前記キャリーの前後方向の移動を規制するための前後移動規制手段をさらに有する。
【００１４】
また、好ましくは、前記前後移動規制手段は、前記キャリーを前記キャリー支持体の前端側に寄せた状態で前記キャリーの前後方向の移動を規制する。
【００１５】
また、好ましくは、前記キャリーは、前記ペット収容体の前記上面開口を平坦状態で開放可能に封止するための蓋部材をさらに有する。
【００１６】
また、好ましくは、前記蓋部材は、可撓性シート材料で形成されており、前記キャリーは、前記蓋部材を収納するための収納袋をさらに有する。
【００１７】
また、好ましくは、前記キャリー支持体は、前支持部、後支持部、および左右一対の側支持部を有し、前記後支持部は、前記左右一対の側支持部のそれぞれの後端部から左右方向内側に延在する左右一対の後支持片を有し、前記ポケット部材は、可撓性シート材料で形成されており、前記ポケット部材の上縁部に形成された筒状部に前記左右一対の後支持片が挿入されている。
【００１８】
また、好ましくは、前記キャリーは、前記ペット収容体の前記上面開口の上方を覆うために前記ペット収容体に着脱自在に装着される幌部材をさらに有する。
【００１９】
また、好ましくは、前記カート本体は、前後方向に折り畳み可能であると共に左右方向にも折り畳み可能であるように構成されている。
【００２０】
なお、本明細書中において、ペット用キャリー付きカートに対する「前」、「後」、「上」、「下」、「前後方向」、および「上下方向」の用語は、特に指示がない場合、使用状態（展開状態）にあるペット用キャリー付きカートを操作するユーザーを基準とした「前」、「後」、「上」、「下」、「前後方向」、および「上下方向」を意味する。
【発明の効果】
【００２１】
本発明によれば、ペット用キャリーの寸法設定の自由度を高めることができるペット用キャリー付きカートを提供することができる。
【００２２】
また、本発明によれば、ユーザーが使用しやすい、小物などの収容機能を備えたペット用キャリー付きカートを提供することができる。
【図面の簡単な説明】
【００２３】
【図１】本発明の一実施形態によるペット用キャリー付きカートを示した斜視図。
【図２】図１に示したペット用キャリー付きカートの一部を示した上面図。
【図３】図１に示したペット用キャリー付きカートのキャリーを示した斜視図であり、蓋が開いた状態を示した図。
【図４】図１に示したペット用キャリー付きカートのキャリーを示した斜視図であり、蓋が閉じた状態を示した図。
【図５】図１に示したペット用キャリー付きカートのキャリーを示した斜視図であり、幌部材を装着した状態を示した図。
【図６】従来のペット用キャリー付きカートを示す斜視図。
【図７】図６に示されたカートを展開した状態で示す斜視図。
【図８】図７のカートを側方から示す側面図。
【図９】前後方向に折り畳んだ状態のカートを示す側面図。
【図１０】図９の状態からさらに幅方向に折り畳んだ状態のカートを示す正面図。
【図１１】図６に示されたペット用キャリーを示す斜視図。
【発明を実施するための形態】
【００２４】
以下、本発明の一実施形態によるペット用キャリー付きカートについて図面を参照して説明する。
【００２５】
なお、本実施形態によるペット用キャリー付きカートは、上述した特許文献１に記載の従来のペット用キャリー付きカートを改良したものなので、以下では、まず初めに、図６乃至図１１を参照して、特許文献１に記載の従来のペット用キャリー付きカートについて説明し、しかる後に従来のペット用キャリー付きカートとは異なる本実施形態に特有の部分について説明する。
【００２６】
図６乃至図１１に示したように、特許文献１に記載のペット用キャリー付きカート１は、車輪２２，２４を有するカート本体２０と、カート本体２０に取り外し可能に支持されるペット用キャリー７０と、を有している。ペット用キャリー７０は、犬や猫等のペットを収容可能に構成された収容部材（容器）である。ペット用キャリー７０は、例えば、公共スペースをペットとともに移動する際に用いられる。ペット用キャリー７０は、上縁枠体７５と、上縁枠体７５に保持されたかご体８０と、を有している。上縁枠体７５がカート本体２０上に載置されることによって、ペット用キャリー７０がカート本体２０によって支持されるようになる。
【００２７】
図７〜図１０に示すように、カート１０は、折り畳み可能に構成されたカート本体２０と、カート本体２０に取り付けられペット用キャリー７０の上縁枠体７５を下方から支持するようになるキャリー支持体５０と、を有する。キャリー支持体５０は、カート本体２０に対して回動可能に接続され、カート本体２０の折り畳み動作時にカート本体２０に対して回動する。これにより、カート１０は、図６および図７に示された展開状態から図８に示された折り畳み状態へ折り畳むことができ、また、折り畳み状態から展開状態へと展開することができる。カート本体２０は、ハンドル４０、前脚２１および後脚２３を有している。前脚２１の下端には前輪２２が回転可能に保持され、後脚２３の下端には後輪２４が回転可能に保持されている。
【００２８】
まず、図６並びに図１１を参照して、ペット用キャリー７０について説明する。上縁枠体７５は、金属等の高剛性材料によって形成されている。上縁枠体７５には、キャリー支持体５０に設けられた固定具５３と係合する固定具受け７７が、キャリー支持体５０の固定具５３に対応して四つ設けられている。また、上縁枠体７５は、ペット用キャリー７０がカート１０のキャリー支持体５０によって支持された際に、キャリー支持体５０に被さるように形成された固定片７６を有している。そして固定片７６には溝７６ａが形成されており、キャリー支持体５０に設けられた支持ピン５２がこの溝７６ａに嵌り込むようになる。
【００２９】
かご体８０は、上縁枠体７５から垂下する筒状の側壁部８５と、側壁部８５に接続されて筒状の側壁部８５を閉鎖する底部８１と、を有している。側壁部８５と底部８１とによって、犬や猫等のペットを収容するスペースが形成されている。このかご体８０は、上縁枠体７５に取り外し可能に取り付けられている。
【００３０】
側壁部８５は、布地等の柔軟性を有した材料によって形成され、底部８１は、或る程度の剛性を有した材料から構成されている。とりわけ、図１１に示すように、ペット用キャリー７０がカート１０によって支持された際に前後方向に延びるリブ８２と、ペット用キャリー７０がカート１０によって支持された際に幅方向に延びるリブ８３が、底部８１に形成されており、底部８１の剛性を高めている。この結果、上縁枠体７５がカート１０のキャリー支持体５０によって下方から支持されてペット用キャリー７０がカート１０に装着された状態において、上縁枠体７５から垂下したかご体８０内に、ペット用を収容するためのスペースが維持される。
【００３１】
加えて、上縁枠体７５には、略Ｕ字状に形成された二つの揺動片９７が、取り付けられている。図１１に示すように、揺動片９７は、Ｕ字の両端部に相当する部分を上縁枠体７５に取り付けられ、ペット用キャリー７０がカート１０によって支持された際に幅方向と平行となる揺動軸線を中心として、上縁枠体７５に対して揺動可能となっている。図１１に示すように、揺動片９７は、上縁枠体７５からかご体８０内に垂下した状態において、底部８１に形成されたリブ８２，８３と係合して、その位置に保持されるようになる。したがって、ペット用キャリー７０をカート１０から取り外して使用する際にも、側壁部８５が延びた状態に維持される。これにより、ペット用キャリー７０をカート１０から取り外して使用する際にも、底部８１が上縁枠体７５から離間した位置に保持され、上縁枠体７５から垂下したかご体８０内に、ペットを収容するためのスペースが確保される。
【００３２】
なお、図６に示すように、上縁枠体７５には、一対のキャリーベルト７１が、取り外し可能に取り付けられている。
【００３３】
一方、かご体８０を変形させて、揺動片９７とリブ８２，８３との係合を解除すると、揺動片９７が揺動可能となる。揺動片９７が上縁枠体７５に対して揺動すると、側壁部８５が変形して、底部８１が上縁枠体７５に接近することが可能となる。これにより、カート１０から取り外したペット用キャリー７０を、不使用時に、保管等に適した小さな寸法へと折り畳むことができる。
【００３４】
なお、二つの揺動片９７は、ベルト状の連結片９８によって、連結されている。連結片９８は、揺動片９７の底部８１に接触するようになる部分に、接続されている。揺動片９７がリブ８２，８３と係合している状態において、この連結片９８を引き上げると、揺動片９７がリブ８２，８３との係合を解除する方向に揺動する。これにより、ペット用キャリー７０を折り畳む際に、揺動片９７とリブ８２，８３との係合を容易に解除することができる。
【００３５】
ペット用キャリー７０には、幌９０がさらに設けられている。幌９０は、幌骨９２と、幌骨９２に支持された幌布９１と、を有している。幌骨９２は、互いに接近した状態と、互いから離間した状態と、の間を互いに対して揺動可能に構成されている。幌布９１は、幌骨９２が互いから離間した状態において張った状態となるように、幌骨９２に張設されている。
【００３６】
幌骨９２は、上縁枠体７５に取り外し可能に固定された第１幌骨９２ａと、第１幌骨９２ａに対して揺動可能に連結された第２幌骨９２ｂおよび第３幌骨９２ｃと、を有している。第１幌骨９２ａ〜第３幌骨９２ｃは、それぞれ、Ｕ字状に形成され、Ｕ字の両端部領域において互いに接続されている。そして、幌布９１のうちの第３幌骨９２ｃの近傍に、固定具９６が設けられている。この固定具９６は、上縁枠体７５と係合可能となっている。固定具９６を上縁枠体７５に留めることによって、幌９０は、ペット用キャリー７０の上縁枠体７５の全域を覆うように広がる。このとき、幌７０とかご体８０との間のスペースに、ペットを外部から遮断して収容することが可能となる。
【００３７】
カート１０は、車輪２１，２３を有した折り畳み可能なカート本体２０と、カート本体２０に装着されたキャリー支持体５０と、カート本体２０とキャリー支持体５０とを連結する連結リンク材５９と、を有している。また、図６に示すように、カート本体２０には、小物等を収容するためのかご１８が装着されている。図６〜図１０に示すように、カート１０は、全体的に、前後方向に沿った幅方向中心面を中心として概ね対称な構成となっている。
【００３８】
図６〜図１０に示すように、カート本体２０は、それぞれ左右に配置された一対の前脚２１と、それぞれ左右に配置された一対の後脚２３と、それぞれ左右に配置された一対の第１〜４リンク材３１，３２，３３，３４と、を有している。前脚２１の下端には、前輪２２が設けられ、後脚２３の下端には、後輪２４が設けられている。
【００３９】
前脚２１の上端部分は、対応する側（左側または右側）に配置された第１リンク材３１の前方部分に回動可能（揺動可能）に接続されている。同様に、後脚２３の上端部分が、対応する側（左側または右側）に配置された第１リンク材３１の前方部分に回動可能（揺動可能）に接続されている。第１リンク材３１は、前後方向に延びる上面と、上面から垂下する一対の側面と、を有した下方に開口した中空状の部材として、例えば樹脂によって、構成されている。
【００４０】
また、第２リンク材３２が、対応する側（左側または右側）に配置された第１リンク材３１の後方部分、とりわけ後方部分のうちの後端部分に回動可能（揺動可能）に接続されている。なお、ここで説明する形態において、第２リンク材３２は、ハンドル４０の下端に接続されている。ハンドル４０は、第２リンク材３２から延び出た部分によって構成されている。より具体的には、ハンドル４０は、各第２リンク材３２の上端部分から延び出た一対の延出部４１と、一対の延出部４１の間を連結する連結部４２と、を有しており、Ｕ字状の外形状を持っている。第２リンク材３２は、ハンドル４０の延出部４１と一体的に、例えば金属製のパイプから形成され得る。
【００４１】
左側の第３リンク材３３は、左側の前脚２１と左側の第２リンク材３２とを連結し、右側の第３リンク材３３は、右側の前脚２１と右側の第２リンク材３２とを連結している。各第３リンク材３３は、その前方部分を前脚２１の中間部分に回動可能に接続され、その後方部分を第２リンク材３２の下方部分、とりわけ下方部分のうちの下端部分に回動可能に接続されている。なお、ここで説明する第３リンク材３３は、図８に示すように、金属製の本体部３３ａと、本体部３３ａの後端に設けられた後端カバー部３３ｂと、本体部３３ａの前端に設けられた前端カバー部３３ｃと、を有している。この第３リンク材３３は、後端カバー部３３ｃにおいて第２リンク材３２と回動可能に連結され、前端カバー部３３ｃにおいて前脚２１と回動可能に連結されている。
【００４２】
なお、図７および図１０によく示されているように、第３リンク材３３の前端カバー部３３ｃには、フック４８およびフック受け４９がそれぞれ設けられている。フック４８およびフック受け４９は、カート１０を折り畳んだ際に互い係合して、カート１０を折り畳んだ状態に維持する。
【００４３】
次に、左側の第４リンク材３４は、左側の後脚２３と左側の第２リンク材３２とを連結し、右側の第４リンク材３４は、右側の後脚２３と右側の第２リンク材３２とを連結している。各第４リンク材３４は、その一部分において後脚２３の中間部分に回動可能（揺動可能）に接続され、他の部分において第２リンク材３２の下方部分、とりわけ下方部分のうちの下端部分に回動可能に接続されている。第４リンク材３４は、樹脂によって形成された板状材として構成され得る。
【００４４】
なお、第２リンク材３２の両側方に、第３リンク材３３および第４リンク材３４が、第２リンク材３２に対して回動可能に接続されている。結果として、第３リンク材３３と第４リンク材３４も、互いに対して回動可能に接続されている。また、前脚２１，後脚２３，および、第１〜第４リンク材３１，３２，３３，３４の互いに対する回動軸線は、互いに平行となっている。また、第２リンク材３２と第４リンク材３４との回動軸線と、第３リンク材３３と第４リンク材３４との回動軸線は、一直線上に揃っている。
【００４５】
さらに、カート本体２０は、幅方向に延びる構成要素として、一対の前脚２１間を連結する第１幅方向連結材３６と、一対の第３リンク材３３を連結する第２幅方向連結材３７と、一対の後脚２３間を連結する第３幅方向連結材３８と、を有している。図７によく示されているように、第１幅方向連結材３６、第２幅方向連結材３７および第３幅方向連結材３８は、屈曲可能に構成され、それぞれ、幅方向に沿って離間した一対のヒンジ３６ａ，３６ｂ，３７ａ，３７ｂ，３８ａ，３８ｂを有している（図７参照）。同様に、上述したハンドル４０の幅方向に延びる連結部４２も、屈曲可能に構成され、幅方向に沿って離間して位置する一対のヒンジ４２ａ，４２ｂを有している。
【００４６】
図８によく示されているように、第２リンク材３２には、第４リンク材３４と係合可能なロック部材２８が設けられている。ロック部材２８は、第２リンク材３２に対して摺動可能となっており、第２リンク材３２上において、第２リンク材３２と第４リンク材３４との回動軸線の側に向けて付勢されている。また、ハンドル４０の連結部４２には、ロック部材２８を遠隔操作可能なロック操作機構２７が設けられている。図８に示すように、ロック部材２８は、第２リンク材３２上において、第４リンク材３４の側へ向けて付勢され、第４リンク材３４と係合するようになる。ロック部材２８が第４リンク材３４と係合すると、第２リンク材３２と第４リンク材３４との相対回動が規制され、カート本体２０が展開された状態に維持されるようになる。一方、ロック操作機構２７を用いてロック部材２８を第４リンク材３４から引き離すことにより、第２リンク材３２と第４リンク材３４との相対回動が可能となる。
【００４７】
次に、以上のようなカート本体２０に取り付けられたキャリー支持体５０および連結リンク材５９について、説明する。なお、キャリー支持体５０は、上述したように、ペット用キャリー７０を支持するために用いられる。また、連結リンク材５９は、キャリー支持体５０をカート本体２０に連結するために用いられている。そして、キャリー支持体５０及び連結リンク材５９は、カート本体２０の折り畳み動作および展開動作にともなって、カート本体２０とともに折り畳まれる又は展開されるように、構成されている。
【００４８】
図６〜図１０に示すように、キャリー支持体５０は、ペット用キャリー７０の上縁枠体７５を下方から支持する部材であり、平面視において、上縁枠体７５の輪郭に沿った輪郭を有している。ただし、図示された形態では、キャリー支持体５０は環状に構成されておらず、上縁枠体７５の一部分の輪郭に沿った輪郭を有している。
【００４９】
図７および図８に示すように、具体的な構成として、キャリー支持体５０は、一対の側フレーム部材（側支持部）５１と、一対の側フレーム部材５１を連結する連結フレーム部材（前支持部）５４と、一対の側フレーム部材５１の後端部から左右方向内側に延在する一対の後支持片（後支持部）５１Ａを有している。各側フレーム部材５１は、その後方部分において、ハンドル４０に回動可能に接続されている。図８に示すように、左側の側フレーム部材５１は、ハンドル４０の左側の延出部４１に接続されており、右側の側フレーム部材５１は、ハンドル４０の右側の延出部４１に接続されている。各側フレーム部材５１の延出部４１への接続箇所（回動軸線）は、各第１リンク材３１の第２リンク材３２への接続箇所（回動軸線）よりも上方に位置している。
【００５０】
一対の側フレーム部材５１に対応して、一対の連結リンク材５９が設けられている。左側の連結リンク材５９は、左側の側フレーム部材５１および左側の第１リンク材３１のそれぞれに対して回動可能に接続されており、右側の連結リンク材５９は、右側の側フレーム部材５１および右側の第１リンク材３１のそれぞれに対して回動可能に接続されている。カート本体２０が展開されている状態において、連結リンク材５９は、第１リンク材３１から上方に延び出ている。そして、カート本体２０が展開されている状態において、カート１０の側面視において、側フレーム部材５１は、概ね、前後方向に延びるようになっている。
【００５１】
一方、図７によく示されているように、連結フレーム部材５４は、各側フレーム部材５１の前方側の端部に接続されている。図７によく示されているように、連結フレーム部材５４は、カート本体２０が展開された状態において一対の側フレーム部材５１への接続箇所の間で下方に突出するように、言い換えると、当該接続箇所よりも下方に位置するように、曲がっている。したがって、図６に示すように、ペット用キャリー７０がキャリー支持体５０によって下方から支持された状態で、連結フレーム部材５４は、一対の側フレーム部材５１への接続箇所の間において、ペット用キャリー７０の上縁枠体７５から離間するようになる。すなわち、ペット用キャリー７０がキャリー支持体５０によって下方から支持された状態で、一対の側フレーム部材５１の間において、連結フレーム部材５４と上縁枠体７５との間に隙間Ｓ（図６参照）が形成される。
【００５２】
連結フレーム部材５４は、側フレーム部材５１に対して回動可能に接続されている。すなわち、連結フレーム部材５４と左側の側フレーム部材５１との接続箇所にヒンジ５４ａが形成され、同様に、連結フレーム部材５４と右側の側フレーム部材５１との接続箇所にヒンジ５４ｂが形成されている。
【００５３】
なお、側フレーム部材５１のカート本体２０に対する回動軸線、並びに、連結リンク材５９のカート本体２０に対する回動軸線および連結リンク材５９の側フレーム部材５１に対する回動軸線は、互いに平行となっており、且つ、カート本体２０の前脚２１，後脚２３，および、第１〜第４リンク材３１，３２，３３，３４の互いに対する回動軸線とも平行となっている。さらに、連結リンク材５９と第１リンク材３１との回動軸線は、前脚２１と第１リンク材３１との回動軸線と一直線上に揃っている。
【００５４】
図６によく示されているように、キャリー支持体５０の側フレーム部材５１には、キャリー支持体５０によって支持されたペット用キャリー７０の固定片７６の溝７６ａに入り込むようになる、支持ピン５２が設けられている。支持ピン５２と溝７６ａとが係合することにより、ペット用キャリー７０がキャリー支持体５０によって安定して所定の位置に保持されるようになる。また、キャリー支持体５０の側フレーム部材５１には合計四つの固定具５３が設けられている。各固定具５３は、ペット用キャリー７０に設けられた四つの固定具受け７７のうちの一つと嵌合して、ペット用キャリー７０をカート１０に対して固定することができる。
【００５５】
以上、特許文献１に記載の従来のペット用キャリー付きカート１について説明した。
【００５６】
以下では、本実施形態によるペット用キャリー付きカートに関し、上述した従来のペット用キャリー付きカート１とは異なる本実施形態に特有の部分を中心に、図１乃至図５を参照して説明する。
【００５７】
本実施形態によるペット用キャリー付きカート１００においては、上縁枠体７５Ａおよびペット収容体８０Ａを備えたペット用キャリー７０Ａの前後寸法が、キャリー支持体５０の前後寸法よりも小さく設定されており、これにより、ペット用キャリー７０Ａの後端部とキャリー支持体５０の後端部との間に、前後方向間隙Ｇが形成されている。
【００５８】
前後方向間隙Ｇにはポケット部材１０１が装着されており、ポケット部材１０１の上縁部がキャリー支持体５０に装着されている。より具体的には、ポケット部材１０１は可撓性シート材料で形成されており、ポケット部材１０１の上縁部に形成された筒状部に、キャリー支持体５０の左右一対の後支持片５１Ａ（図７）が挿入されている。
【００５９】
本実施形態によるペット用キャリー付きカート１００は、キャリー支持体５０に対するペット用キャリー７０Ａの前後方向の移動を規制するための前後移動規制手段（支持ピン５２およびキャリー７０Ａの固定片７６の溝７６ａ）を有している。前後移動規制手段は、ペット用キャリー７０Ａをキャリー支持体５０の前端側に寄せた状態で、ペット用キャリー７０Ａの前後方向の移動を規制する。
【００６０】
図３および図４に示したように、ペット用キャリー７０Ａは、ペット収容体８０Ａ（従来のかご体８０に相当）の上面開口を平坦状態で開放可能に封止するための蓋部材１０２を有している。蓋部材１０２は、好ましくは可撓性シート材料で形成される。蓋部材１０２は、その縁部に留め具１０３が設けられており、蓋部材１０２の留め具１０３をペット収容体８０Ａの側面に設けられた留め具１０４に留め付けることにより、蓋部材１０２が開放可能に固定される。
【００６１】
ペット用キャリー７０Ａは、その後面に収納袋１０５を備えており、収納袋１０５の中に蓋部材１０２を折り畳んで収納することができる。これにより、非使用時の蓋部材１０２が邪魔になったり、或いは紛失してしまったりすることがなく、必要なときに収納袋１０５から蓋部材１０２を簡単に取り出すことができる。
【００６２】
図５に示したように、本実施形態によるペット用キャリー７０Ａにおいては、ペット収容体８０Ａの上面開口の上方を覆うための幌部材１０６を、ペット収容体８０Ａに着脱自在に装着することができる。幌部材１０６は、その周縁部に設けた折り曲げ可能なＵ字状の弾性細長部材１０７と、弾性細長部材１０７に張設された可撓性シート部材１０８とを有している。幌部材１０６は、ペット収容体８０Ａから外して折り畳み、収納袋１０５に収納することができる。
【００６３】
なお、本実施形態によるペット用キャリー付きカート１００のカート本体２０は、上述した従来のペット用キャリー付きカート１のカート本体２０と同様、前後方向に折り畳み可能であると共に左右方向にも折り畳み可能であるような構成（三つ折り可能な構成）を備えている。ポケット部材１０１を可撓性材料で構成すれば、三つ折り時にポケット部材１０１を取り外す必要がなく、ポケット部材１０１をカート本体２０に装着したままでカート本体２０を三つ折り状態とすることができる。
【００６４】
以上述べたように、本実施形態によるペット用キャリー付きカート１００によれば、ペット用キャリー７０Ａの前後寸法を、キャリー支持体５０の前後寸法に合わせて設定するのではなく、キャリー支持体５０の前後寸法よりも小さくするようにしたので、ペット用キャリー７０Ａの前後寸法の設定の自由度を高めることができる。
【００６５】
このため、ペットの大きさに応じてペット用キャリー７０Ａの寸法を変更したり、或いは電車などの公共機関の規定に適合する小さな寸法（例えば、ペット用キャリー７０Ａの縦・横・高さの合計が９０ｃｍ以内など）のペット用キャリー７０Ａを使用することができる。
【００６６】
また、本実施形態によるペット用キャリー付きカート１００は、使用者がアクセスし易い位置にポケット部材１０１を備えているので、ポケット部材１０１にペットのオモチャやお菓子などの小物を収納すれば、小物を取り出すためにわざわざ屈む必要も無く、使用者にとって極めて便利である。
【符号の説明】
【００６７】
２１  前脚
２２  前輪
２３  後脚
２４  後輪
５０  キャリー支持体
５１Ａ  キャリー支持体の後支持片
７０Ａ  ペット用キャリー
７５Ａ  上縁枠体
８０Ａ  ペット収容体
１００  ペット用キャリー付きカート
１０１  ポケット部材
１０２  キャリーの蓋部材
１０３  蓋部材側の留め具
１０４  ペット収容体側の留め具
１０５  収納袋
１０６  幌部材
１０７  弾性細長部材
１０８  可撓性シート部材
Ｇ  前後方向間隙
【図１】
2015107068.tif 000003
【図２】
2015107068.tif 000004
【図３】
2015107068.tif 000005
【図４】
2015107068.tif 000006
【図５】
2015107068.tif 000007
【図６】
2015107068.tif 000008
【図７】
2015107068.tif 000009
【図８】
2015107068.tif 000010
【図９】
2015107068.tif 000011
【図１０】
2015107068.tif 000012
【図１１】
2015107068.tif 000013